(57)【要約】【課題】長期間の使用においてもマルチ画面画像表示システムを構成する個々の画像表示装置の色特性を適正に保持する。【解決手段】画像表示装置（プロジェクタＰＪ１，ＰＪ２・・・）は、自身が有する光変調素子の特性変化を予測可能な光変調素子の負荷情報を取得する光変調素子の負荷情報取得装置１２と、前記負荷情報の変化と前記光変調素子の特性変化との関係に基づいて設定された補正パラメータを記憶する補正パラメータ記憶部１７と、前記光変調素子の負荷情報取得装置１２により取得されたその時点における負荷情報と前記その時点における負荷情報に対応する補正パラメータとに基づいて、前記光変調素子に与える画像信号を変換する画像信号変換部１３とを有する。【選択図】図３
2007133298.tif 000002
【特許請求の範囲】
【請求項１】
光源からの光を表示すべき画像に係る画像信号に応じて変調する光変調素子を有する複数の画像表示装置と、前記複数の画像表示装置の各画像表示装置が表示すべき画像に係る画像信号を生成して前記各画像表示装置に配信する画像配信制御装置とを有するマルチ画面画像表示システムであって、
前記画像配信制御装置は、
前記各画像表示装置が表示すべき画像に係る画像信号を生成する画像信号生成部を有し、
前記画像表示装置は、
自身が有する前記光変調素子の特性変化を予測可能な光変調素子の負荷情報を取得する光変調素子の負荷情報取得装置と、
前記負荷情報の変化と前記光変調素子の特性変化との関係に基づいて設定された補正パラメータを記憶する補正パラメータ記憶部と、
前記光変調素子の負荷情報取得装置により取得されたその時点における負荷情報と前記その時点における負荷情報に対応する補正パラメータとに基づいて、前記光変調素子に与える画像信号を変換する画像信号変換部とを有することを特徴とするマルチ画面画像表示システム。
【請求項２】
請求項１に記載のマルチ画面画像表示システムにおいて、
前記補正パラメータは、前記負荷情報の変化における複数段階の負荷情報に対応して設定されることを特徴とするマルチ画面画像表示システム。
【請求項３】
請求項１または２に記載のマルチ画面画像表示システムにおいて、
前記光変調素子は、複数の基本色に対応して複数個設けられ、前記光変調素子の負荷情報は前記複数個の光変調素子それぞれに対して取得されることを特徴とするマルチ画面画像表示システム。
【請求項４】
請求項１〜３のいずれかに記載のマルチ画面画像表示システムにおいて、
前記光変調素子の負荷情報は、前記光変調素子に加わる負荷に基づく負荷値を積算した累積負荷値であることを特徴とするマルチ画面画像表示システム。
【請求項５】
請求項４に記載の画像表示装置のマルチ画面画像表示システムにおいて、
前記光変調素子に加わる負荷に基づく負荷値は、前記光変調素子に入射される光源の光の強度と前記画像信号の階調に関する情報、前記光変調素子の温度に関する情報、画像表示装置の稼動時間に関する情報の少なくとも１つに基づいて求められることを特徴とするマルチ画面画像表示システム。
【請求項６】
請求項１〜５のいずれかに記載のマルチ画面画像表示システムにおいて、
前記光変調素子は液晶を用いた光変調素子であることを特徴とするマルチ画面画像表示システム。
【請求項７】
光源からの光を表示すべき画像に係る画像信号に応じて変調する光変調素子を有する複数の画像表示装置と、前記複数の画像表示装置の各画像表示装置が表示すべき画像に係る画像信号を生成して前記各画像表示装置に配信する画像配信制御装置とを有するマルチ画面画像表示システムに用いられる前記画像表示装置であって、
自身が有する前記光変調素子の特性変化を予測可能な光変調素子の負荷情報を取得する光変調素子の負荷情報取得装置と、
前記負荷情報の変化と前記光変調素子の特性変化との関係に基づいて設定された補正パラメータを記憶する補正パラメータ記憶部と、
前記光変調素子の負荷情報取得装置により取得されたその時点における負荷情報と前記その時点における負荷情報に対応する補正パラメータとに基づいて、前記光変調素子に与える画像信号を変換する画像信号変換部とを有することを特徴とする画像表示装置。
【請求項８】
請求項７に記載の画像表示装置に、前記画像表示装置が行う画像表示制御処理を実行させる画像表示装置の画像表示制御プログラムであって、
自身が有する前記光変調素子の特性変化を予測可能な光変調素子の負荷情報を取得する負荷情報取得ステップと、
前記負荷情報取得ステップにより取得されたその時点における負荷情報と前記その時点における負荷情報に対応する補正パラメータとに基づいて、前記光変調素子に与える画像信号を変換する画像信号変換ステップとを有することを特徴とする画像表示装置の画像表示制御プログラム。
【請求項９】
光源からの光を表示すべき画像に係る画像信号に応じて変調する光変調素子を有する複数の画像表示装置と、前記複数の画像表示装置の各画像表示装置が表示すべき画像に係る画像信号を生成して前記各画像表示装置に配信する画像配信制御装置とを有するマルチ画面画像表示システムであって、
前記画像配信制御装置は、
前記複数の画像表示装置の各画像表示装置が表示すべき画像に係る画像信号を生成する画像信号生成部と、
前記各画像表示装置が有する前記光変調素子の特性変化を予測可能な光変調素子の負荷情報を取得する光変調素子の負荷情報取得装置と、
前記負荷情報の変化と前記光変調素子の特性変化との関係に基づいて設定された補正パラメータを記憶する補正パラメータ記憶部と、
前記光変調素子の負荷情報取得装置により取得されたその時点における負荷情報と前記その時点における負荷情報に対応する補正パラメータとに基づいて、前記光変調素子に与える画像信号を変換する画像信号変換部と、
前記画像変換部で変換された画像信号を前記各画像表示装置に出力する画像信号出力部とを有し、
前記画像表示装置は、
前記画像配信制御装置から出力された画像信号を入力する画像信号入力部を有することを特徴とするマルチ画面画像表示システム。
【請求項１０】
光源からの光を表示すべき画像に係る画像信号に応じて変調する光変調素子を有する複数の画像表示装置と、前記複数の画像表示装置の各画像表示装置が表示すべき画像に係る画像信号を生成して前記各画像表示装置に配信する画像配信制御装置とを有するマルチ画面画像表示システムに用いられる前記画像配信制御装置であって、
前記各画像表示装置が表示すべき画像に係る画像信号を生成する画像信号生成部と、
前記各画像表示装置が有する前記光変調素子の特性変化を予測可能な光変調素子の負荷情報を取得する光変調素子の負荷情報取得装置と、
前記負荷情報の変化と前記光変調素子の特性変化との関係に基づいて設定された補正パラメータを記憶する補正パラメータ記憶部と、
前記光変調素子の負荷情報取得装置により取得されたその時点における負荷情報と前記その時点における負荷情報に対応する補正パラメータとに基づいて、前記光変調素子に与える画像信号を変換する画像信号変換部と、
前記画像変換部で変換された画像信号を前記各画像表示装置に出力する画像信号出力部とを有することを特徴とする画像配信制御装置。
【請求項１１】
請求項１０に記載の画像配信制御装置に、前記複数の画像表示装置の各画像表示装置が表示すべき画像信号の配信制御処理を実行させる画像配信制御装置の画像配信制御プログラムであって、
前記各画像表示装置が表示すべき画像に係る画像信号を生成する画像信号生成ステップと、
前記各画像表示装置が有する前記光変調素子の特性変化を予測可能な光変調素子の負荷情報を取得する負荷情報取得ステップと、
前記負荷情報取得ステップにより取得されたその時点における負荷情報と前記その時点における負荷情報に対応する補正パラメータとに基づいて、前記光変調素子に与える画像信号を変換する画像信号変換ステップと、
前記画像信号変換ステップで変換された画像信号を前記各画像表示装置に出力する画像信号出力ステップとを有することを特徴とする画像配信制御装置の画像配信制御プログラム。
【請求項１２】
光源からの光を表示すべき画像に係る画像信号に応じて変調する光変調素子を有する複数の画像表示装置と、前記複数の画像表示装置の各画像表示装置が表示すべき画像に係る画像信号を生成して前記各画像表示装置に配信する画像配信制御装置とを有するマルチ画面画像表示システムであって、
前記画像配信制御装置は、
前記各画像表示装置が表示すべき画像に係る画像信号を生成する画像信号生成部と、
前記各画像表示装置が有する前記光変調素子の特性変化を予測可能な光変調素子の負荷情報を取得する光変調素子の負荷情報取得装置と、
前記負荷情報の変化と前記光変調素子の特性変化との関係に基づいて設定された補正パラメータを記憶する補正パラメータ記憶部と、
前記光変調素子の負荷情報取得装置により取得されたその時点における負荷情報と前記その時点における負荷情報に対応する補正パラメータとに基づいて、前記光変調素子に与える画像信号を変換する画像信号変換部と、
前記画像変換部で変換された画像信号を前記各画像表示装置に出力する画像信号出力部と、
前記画像表示装置との間で前記光変調素子の負荷情報の入出力が可能な負荷情報入出力部とを有し、
前記画像表示装置は、
前記画像配信制御装置で取得された自身の光変調素子の負荷情報及び／又は自身が取得した光変調素子の負荷情報を記憶する光変調素子の負荷情報記憶部と、
前記画像配信制御装置との間で前記光変調素子の負荷情報の入出力が可能な負荷情報入出力部と、
前記画像配信制御装置から出力された画像信号を入力する画像信号入力部とを有することを特徴とするマルチ画面画像表示システム。
【請求項１３】
光源からの光を表示すべき画像に係る画像信号に応じて変調する光変調素子を有する複数の画像表示装置と、前記複数の画像表示装置の各画像表示装置が表示すべき画像に係る画像信号を生成して前記各画像表示装置に配信する画像配信制御装置とを有するマルチ画面画像表示システムに用いられる前記画像配信制御装置であって、
前記各画像表示装置が表示すべき画像に係る画像信号を生成する画像信号生成部と、
前記各画像表示装置が有する前記光変調素子の特性変化を予測可能な光変調素子の負荷情報を取得する光変調素子の負荷情報取得装置と、
前記負荷情報の変化と前記光変調素子の特性変化との関係に基づいて設定された補正パラメータを記憶する補正パラメータ記憶部と、
前記光変調素子の負荷情報取得装置により取得されたその時点における負荷情報と前記その時点における負荷情報に対応する補正パラメータとに基づいて、前記光変調素子に与える画像信号を変換する画像信号変換部と、
前記画像変換部で変換された画像信号を前記各画像表示装置に出力する画像信号出力部と、
前記画像表示装置との間で前記光変調素子の負荷情報の入出力が可能な負荷情報入出力部とを有することを特徴とする画像配信制御装置。
【請求項１４】
請求項１３に記載の画像配信制御装置に、前記複数の画像表示装置の各画像表示装置が表示すべき画像信号の配信制御処理を実行させる画像配信制御装置の画像配信制御プログラムであって、
前記複数の画像表示装置の各画像表示装置が表示すべき画像に係る画像信号を生成する画像信号生成ステップと、
前記各画像表示装置が有する前記光変調素子の特性変化を予測可能な光変調素子の負荷情報を取得する光変調素子の負荷情報取得ステップと、
前記各画像表示装置との間で前記光変調素子の負荷情報の入出力を行う負荷情報入出力ステップと、
前記負荷情報取得ステップにより取得されたその時点における負荷情報と前記その時点における負荷情報に対応する補正パラメータとに基づいて、前記光変調素子に与える画像信号を変換する画像信号変換ステップと、
前記画像変換ステップで変換された画像信号を前記各画像表示装置に出力する画像信号出力ステップとを有することを特徴とする画像配信制御装置の画像配信制御プログラム。
【請求項１５】
光源からの光を表示すべき画像に係る画像信号に応じて変調する光変調素子を有する複数の画像表示装置と、前記複数の画像表示装置の各画像表示装置が表示すべき画像に係る画像信号を生成して前記各画像表示装置に配信する画像配信制御装置とを有するマルチ画面画像表示システムにおける前記画像表示装置であって、
前記画像配信制御装置で取得された自身の光変調素子の負荷情報及び／又は自身が取得した光変調素子の負荷情報を記憶する光変調素子の負荷情報記憶部と、
前記画像配信制御装置との間で前記光変調素子の負荷情報の入出力が可能な負荷情報入出力部と、
前記画像配信制御装置から出力された画像信号を入力する画像信号入力部とを有することを特徴とする画像表示装置。
【請求項１６】
請求項１５に記載の画像表示装置に、前記画像表示装置が行う画像表示制御処理を実行させる画像表示装置の画像表示制御プログラムであって、
前記画像配信制御装置との間で前記光変調素子の負荷情報の入出力を行う負荷情報入出力ステップと、
前記画像配信制御装置で取得された自身の光変調素子の負荷情報及び／又は自身が取得した光変調素子の負荷情報を記憶する光変調素子の負荷情報記憶ステップと、
前記画像配信制御装置から出力された画像信号を入力する画像信号入力ステップとを有することを特徴とする画像表示装置の画像表示制御プログラム。
【発明の詳細な説明】
【技術分野】
【０００１】
本発明は、マルチ画面画像表示システム、マルチ画面画像表示システムに用いられる画像表示装置、画像表示装置の画像表示プログラム、マルチ画面画像表示システムに用いられる画像配信制御装置、画像配信制御装置の画像配信制御プログラムに関する。
【背景技術】
【０００２】
複数のプロジェクタからの画像をスクリーン上に並べて投写することによって、大画面、高解像度、高輝度のディスプレイを実現するマルチ画面画像表示システムが知られている。このようなマルチ画面画像表示システムにおいては、個々のプロジェクタが元々有する色や明るさの個体差により、同じ画像信号を入力しても個々のプロジェクタ間で色や明るさの異なった画像となってしまう場合がある。
【０００３】
このような問題を解決する技術はこれまでにも幾つか提案されている（たとえば特許文献１参照）。特許文献１に開示された技術は、マルチ画面画像表示システムを構成する複数のディスプレイ装置（プロジェクタという）のそれぞれの色特性の差が最小となるような組み合わせを選択して個々のプロジェクタの配置を決めるというものである。
【０００４】
しかしながら、プロジェクタの色や明るさを決める重要な構成要素である光変調素子や光源は、長時間の使用の結果、その特性が変化することが知られている。光変調素子や光源の特性が変化すると、プロジェクタの初期（購入直後など）における色再現域に基づいて画像信号変換を行った場合、目標とする色を再現することができない場合もある。
ここで、光変調素子の特性の変化とは、光変調素子の各画素における印加電圧に対する透過率の変化やその周波数特性の変化、また、印加電圧に対する透過率の時間応答性の変化を含む。また、光源の特性の変化とは、光の強度の変化及び色成分の変化を含むものである。
【０００５】
したがって、特許文献１に開示された技術のように、それぞれのプロジェクタの色特性の差が最小となるような組み合わせを選択して複数のプロジェクタの配置を決めたとしても、長期間の使用によって、各々のプロジェクタの光変調素子に特性変化が生じて、マルチ画面画像表示システムを構成する複数のプロジェクタ間で異なった色となってしまうことがある。
【０００６】
このように、長期間の使用によってプロジェクタの光変調素子の特性変化が生じた場合にも目標とする色を再現する技術として、たとえば、特許文献２に開示された技術がある。特許文献２に開示された技術は、プロジェクタの稼働時間を計測して記録する手段を備え、稼動時間に応じて、色補正を可能とする画像信号変用情報を適宜更新することにより目標とする色を再現しようとするものである。
【０００７】
【特許文献１】特開２０００−５９８０６号公報
【特許文献２】特開２００２−１４００６０号公報
【発明の開示】
【発明が解決しようとする課題】
【０００８】
特許文献２に開示された技術は、プロジェクタの稼働時間を光変調素子としての液晶ライトバルブの特性変化を予測可能なパラメータとして用いている。確かに、稼働時間は液晶ライトバルブの特性変化をある程度適正に予測することができる有効なパラメータであると考えられる。
【０００９】
しかしながら、稼働時間が同じであっても、光源の光の強度や表示する画像（コンテンツ）の種類によって、液晶ライトバルブに加わる負荷は大きく異なる。たとえば、プロジェクタには、色再現性よりも明るさを重視するプレゼンテーションモード、明るさよりも色再現性を重視するシアターモードというように、用途に応じたモード（カラーモードという）の設定機能を有しているものも多く、このようなカラーモードの違いによって光源の光の強度が大きく異なる場合もあり、また、適応調光などを行っている場合には、ライトバルブに入射する光の強度が動的に変動する。
【００１０】
また、表示する画像の階調情報により液晶ライトバルブの透過率が異なるため、光源の強度が同じであっても、液晶ライトバルブが全閉（黒表示）の場合と全開（白表示）の場合とで、結果的に液晶ライトバルブで熱に変換されるエネルギ量が異なってくる。
【００１１】
このため、稼働時間だけでは長期間に使用における液晶ライトバルブの特性変化を適正に予測することができない。したがって、特許文献２に開示された技術をマルチ画面画像表示システムに適用した場合、液晶ライトバルブの特性変化によって生じる複数のプロジェクタ間の色の違いは所定の精度で補正可能であると考えられるが、複数のプロジェクタ間の色の補正をより高精度に行うには液晶ライトバルブの特性変化をより適正に予測可能なパラメータを用いて補正を行う必要がある。
【００１２】
そこで本発明は、光変調素子の特性変化を適正に予測可能な光変調素子の負荷情報を取得して、取得した光変調素子の負荷情報に基づいてマルチ画面画像表示システムを構成する複数の画像表示装置の画像信号補正を行うことで、長期間の使用においてもマルチ画面画像表示システムを構成する個々の画像表示装置の色特性を適正に保持することができるマルチ画面画像表示システム、マルチ画面画像表示システムに用いられる画像表示装置、画像表示装置の画像表示プログラム、マルチ画面画像表示システムに用いられる画像配信制御装置、画像配信制御装置の画像配信制御プログラムを提供することを目的とする。
【課題を解決するための手段】
【００１３】
（１）本発明のマルチ画面画像表示システムは、光源からの光を表示すべき画像に係る画像信号に応じて変調する光変調素子を有する複数の画像表示装置と、前記複数の画像表示装置の各画像表示装置が表示すべき画像に係る画像信号を生成して前記各画像表示装置に配信する画像配信制御装置とを有するマルチ画面画像表示システムであって、前記画像配信制御装置は、前記各画像表示装置が表示すべき画像に係る画像信号を生成する画像信号生成部を有し、前記画像表示装置は、自身が有する前記光変調素子の特性変化を予測可能な光変調素子の負荷情報を取得する光変調素子の負荷情報取得装置と、前記負荷情報の変化と前記光変調素子の特性変化との関係に基づいて設定された補正パラメータを記憶する補正パラメータ記憶部と、前記光変調素子の負荷情報取得装置により取得されたその時点における負荷情報と前記その時点における負荷情報に対応する補正パラメータとに基づいて、前記光変調素子に与える画像信号を変換する画像信号変換部とを有することを特徴とする。
【００１４】
このように本発明は、複数の画像表示装置の表示する画像によってマルチ画面を構成するマルチ画面画像表示システムにおいて、前記光変調素子の負荷情報取得装置によって取得されたその時点における負荷情報と前記その時点における負荷情報に対応する補正パラメータとを用いて、当該画像表示装置で表示すべき画像信号に対する補正としての画像信号変換を行うようにしている。これにより、画像表示装置の長期間の使用によって光変調素子の特性が変化しても、その特性変化を考慮した画像信号変換を行うことができ、光変調素子の特性変化の影響を受けずに、目標とする色を再現することができる。
【００１５】
このような処理をマルチ画面画像表示システムを構成する各画像表示装置について行うことにより、マルチ画面画像表示システムを長期間使用しても、複数の画像表示装置間で色再現性などが大きく異なることはなく、長期間に渡って高画質な画像を得ることができる。
なお、前記「自身が有する前記光変調素子の特性変化を予測可能な光変調素子の負荷情報」とは、結果的に、画像表示装置を使用する際の光変調素子の特性を推定可能な情報であればよい。すなわち、現在または将来の光変調素子の特性を推定可能な情報や、光変調素子の初期の特性からの変化の度合いを推定可能な情報などであればよい。
【００１６】
また、前記補正パラメータは、実験などにより得られた光変調素子の負荷情報の変化に対する光変調素子の特性変化の関係に基づいて設定されるものである。
【００１７】
また、（１）に記載のマルチ画面画像表示システムによれば、光変調素子の負荷情報の取得や取得された負荷情報に基づく画像信号変換などの処理は各画像表示装置にて行うので、画像配信制御装置はそれらの処理を行う必要はなく、画像配信制御装置の処理負担を小さくすることができる。
（２）前記（１）に記載のマルチ画面画像表示システムにおいては、前記補正パラメータは、前記負荷情報の変化における複数段階の負荷情報に対応して設定されることが好ましい。
このように、補正パラメータが複数段階の負荷情報に対応して設定されることによって、現時点の光変調素子の負荷情報を知ることによって、その光変調素子の負荷情報に対応する補正パラメータを容易に取得することができる。したがって、経時変化などにより負荷情報が変化しても、その時点の負荷情報に対応した補正パラメータを用いた画像信号変換を行うことができ、光変調素子の特性変化の影響を受けずに長期間に渡って目標とする色を再現することができる。
【００１８】
（３）前記（１）または（２）に記載のマルチ画面画像表示システムにおいては、前記光変調素子は、複数の基本色に対応して複数個設けられ、前記光変調素子の負荷情報は前記複数個の光変調素子それぞれに対して取得されることが好ましい。
【００１９】
これにより、たとえば、基本色としてＲＧＢを用いた場合、ＲＧＢそれぞれに対応する光変調素子ごとに光変調素子の負荷情報を求めることができ、ＲＧＢそれぞれの光変調素子に与える画像信号に対し、ＲＧＢそれぞれの光変調素子の特性変化に応じた補正としての画像信号変換を行うことができる。
【００２０】
（４）前記（１）〜（３）のいずれかに記載のマルチ画面画像表示システムにおいては、前記光変調素子の負荷情報は、前記光変調素子に加わる負荷に基づく負荷値を積算した累積負荷値であることが好ましい。
【００２１】
このように、光変調素子に加わる負荷に基づく負荷値を積算した累積負荷値を光変調素子の負荷情報として用いることにより、光変調素子の特性変化を適正に予測することができる。すなわち、光変調素子の負荷情報としての累積負荷値が大きくなれば、光変調素子の特性変化も大きくなると考えられるので、光変調素子の負荷情報である累積負荷値に基づいて光変調素子の特性変化を予測することができる。
【００２２】
（５）前記（４）に記載のマルチ画面画像表示システムにおいては、前記光変調素子に加わる負荷に基づく負荷値は、前記光変調素子に入射される光源の光の強度と前記画像信号の階調に関する情報、前記光変調素子の温度に関する情報、画像表示装置の稼動時間に関する情報の少なくとも１つに基づいて求められることが好ましい。
【００２３】
これらは、いずれも光変調素子の特性変化を予測可能な情報であり、これらのうちの少なくとも１つの情報に基づく負荷値を積算して累積負荷値を求めることにより、求められた累積負荷値は光変調素子の特性変化を適正に表すものとなる。
【００２４】
特に、光源の光の強度と前記画像信号の階調情報に基づく負荷値を積算した累積負荷値は、光の強度と画像（コンテンツ）に依存したものとなっているため、光変調素子に加わる負荷の状況をより適正に表すものとなる。
【００２５】
（６）前記（１）〜（５）に記載のマルチ画面画像表示システムにおいては、前記光変調素子は液晶を用いた光変調素子であることが好ましい。
このように、光変調素子が液晶を用いた光変調素子であることにより、本発明はより顕著な効果を得ることができる。
【００２６】
（７）本発明の画像表示装置は、光源からの光を表示すべき画像に係る画像信号に応じて変調する光変調素子を有する複数の画像表示装置と、前記複数の画像表示装置の各画像表示装置が表示すべき画像に係る画像信号を生成して前記各画像表示装置に配信する画像配信制御装置とを有するマルチ画面画像表示システムに用いられる前記画像表示装置であって、自身が有する前記光変調素子の特性変化を予測可能な光変調素子の負荷情報を取得する光変調素子の負荷情報取得装置と、前記負荷情報の変化と前記光変調素子の特性変化との関係に基づいて設定された補正パラメータを記憶する補正パラメータ記憶部と、前記光変調素子の負荷情報取得装置により取得されたその時点における負荷情報と前記その時点における負荷情報に対応する補正パラメータとに基づいて、前記光変調素子に与える画像信号を変換する画像信号変換部とを有することを特徴とする。
【００２７】
画像表示装置をこのような構成とすることで、（１）に記載のマルチ画面画像表示システムを容易に構成することができる。なお、（７）に記載の画像表示装置においても、前記（２）〜（６）に記載のマルチ画面画像表示システムの特徴を有することが好ましい。
（８）本発明の画像表示装置の画像表示制御プログラムは、前記（７）に記載の画像表示装置に、前記画像表示装置が行う画像表示制御処理を実行させる画像表示装置の画像表示制御プログラムであって、自身が有する前記光変調素子の特性変化を予測可能な光変調素子の負荷情報を取得する負荷情報取得ステップと、前記負荷情報取得ステップにより取得されたその時点における負荷情報と前記その時点における負荷情報に対応する補正パラメータとに基づいて、前記光変調素子に与える画像信号を変換する画像信号変換ステップとを有することを特徴とする。
このような画像表示装置の画像表示制御プログラムを前記（７）に記載の画像表示装置に実行させることにより、画像表示装置の長期間の使用によって光変調素子の特性が変化しても、その特性変化を考慮した画像信号変換を行うことができる。これによって、光変調素子の特性変化の影響を受けずに、長期間に渡って目標とする色を再現することができる。なお、（８）に記載の画像表示装置の画像表示制御プログラムにおいても、前記（２）〜（６）に記載のマルチ画面画像表示システムの特徴を有することが好ましい。
【００２８】
（９）本発明のマルチ画面画像表示システムは、光源からの光を表示すべき画像に係る画像信号に応じて変調する光変調素子を有する複数の画像表示装置と、前記複数の画像表示装置の各画像表示装置が表示すべき画像に係る画像信号を生成して前記各画像表示装置に配信する画像配信制御装置とを有するマルチ画面画像表示システムであって、前記画像配信制御装置は、前記複数の画像表示装置の各画像表示装置が表示すべき画像に係る画像信号を生成する画像信号生成部と、前記各画像表示装置が有する前記光変調素子の特性変化を予測可能な光変調素子の負荷情報を取得する光変調素子の負荷情報取得装置と、前記負荷情報の変化と前記光変調素子の特性変化との関係に基づいて設定された補正パラメータを記憶する補正パラメータ記憶部と、前記光変調素子の負荷情報取得装置により取得されたその時点における負荷情報と前記その時点における負荷情報に対応する補正パラメータとに基づいて、前記光変調素子に与える画像信号を変換する画像信号変換部と、前記画像変換部で変換された画像信号を前記各画像表示装置に出力する画像信号出力部とを有し、前記画像表示装置は、前記画像配信制御装置から出力された画像信号を入力する画像信号入力部を有することを特徴とする。
【００２９】
本発明のマルチ画面画像表示システムによれば、（１）に記載のマルチ画面画像表示システムと同様、マルチ画面画像表示システムを長期間使用しても、複数の画像表示装置間で色再現性などが大きく異なることはなく、長期間に渡って高画質な画像を得ることができる。
【００３０】
また、（９）のマルチ画面画像表示システムによれば、光変調素子の負荷情報の取得や取得された負荷情報に基づく画像信号変換などの処理は画像配信制御装置にて行うので、各画像表示装置ではそれらの処理を行う必要はなく、このような処理機能を持たない汎用の画像表示装置を用いることができる。なお、（９）に記載のマルチ画面画像表示システムにおいても、前記（２）〜（６）に記載のマルチ画面画像表示システムの特徴を有することが好ましい。
【００３１】
（１０）本発明の画像配信制御装置は、光源からの光を表示すべき画像に係る画像信号に応じて変調する光変調素子を有する複数の画像表示装置と、前記複数の画像表示装置の各画像表示装置が表示すべき画像に係る画像信号を生成して前記各画像表示装置に配信する画像配信制御装置とを有するマルチ画面画像表示システムに用いられる前記画像配信制御装置であって、前記各画像表示装置が表示すべき画像に係る画像信号を生成する画像信号生成部と、前記各画像表示装置が有する前記光変調素子の特性変化を予測可能な光変調素子の負荷情報を取得する光変調素子の負荷情報取得装置と、前記負荷情報の変化と前記光変調素子の特性変化との関係に基づいて設定された補正パラメータを記憶する補正パラメータ記憶部と、前記光変調素子の負荷情報取得装置により取得されたその時点における負荷情報と前記その時点における負荷情報に対応する補正パラメータとに基づいて、前記光変調素子に与える画像信号を変換する画像信号変換部と、前記画像変換部で変換された画像信号を前記各画像表示装置に出力する画像信号出力部とを有することを特徴とする。
【００３２】
画像配信制御装置をこのような構成とすることによって、前記（９）に記載のマルチ画面画像表示システムを容易に構成することができる。なお、（１０）に記載の画像配信制御装置においても、前記（２）〜（６）に記載のマルチ画面画像表示システムの特徴を有することが好ましい。
（１１）本発明の画像配信制御装置の画像配信制御プログラムは、前記（１０）に記載の画像配信制御装置に、前記複数の画像表示装置の各画像表示装置が表示すべき画像信号の配信制御処理を実行させる画像配信制御装置の画像配信制御プログラムであって、前記各画像表示装置が表示すべき画像に係る画像信号を生成する画像信号生成ステップと、前記各画像表示装置が有する前記光変調素子の特性変化を予測可能な光変調素子の負荷情報を取得する負荷情報取得ステップと、前記負荷情報取得ステップにより取得されたその時点における負荷情報と前記その時点における負荷情報に対応する補正パラメータとに基づいて、前記光変調素子に与える画像信号を変換する画像信号変換ステップと、前記画像信号変換ステップで変換された画像信号を前記各画像表示装置に出力する画像信号出力ステップとを有することを特徴とする。
このような画像配信制御装置の画像配信制御プログラムを前記（１０）に記載の画像配信制御装置に実行させることにより、画像表示装置の長期間の使用によって光変調素子の特性が変化しても、その特性変化を考慮した画像信号変換を行って、その画像信号変換後の画像信号を各画像表示装置に配信することができる。これによって、画像表示装置側においては光変調素子の特性変化の影響を受けずに、長期間に渡って目標とする色を再現することができる。なお、（１１）に記載の画像配信制御装置の画像配信制御プログラにおいても、前記（２）〜（６）に記載のマルチ画面画像表示システムの特徴を有することが好ましい。
【００３３】
（１２）本発明のマルチ画面画像表示システムは、光源からの光を表示すべき画像に係る画像信号に応じて変調する光変調素子を有する複数の画像表示装置と、前記複数の画像表示装置の各画像表示装置が表示すべき画像に係る画像信号を生成して前記各画像表示装置に配信する画像配信制御装置とを有するマルチ画面画像表示システムであって、前記画像配信制御装置は、前記各画像表示装置が表示すべき画像に係る画像信号を生成する画像信号生成部と、前記各画像表示装置が有する前記光変調素子の特性変化を予測可能な光変調素子の負荷情報を取得する光変調素子の負荷情報取得装置と、前記負荷情報の変化と前記光変調素子の特性変化との関係に基づいて設定された補正パラメータを記憶する補正パラメータ記憶部と、前記光変調素子の負荷情報取得装置により取得されたその時点における負荷情報と前記その時点における負荷情報に対応する補正パラメータとに基づいて、前記光変調素子に与える画像信号を変換する画像信号変換部と、前記画像変換部で変換された画像信号を前記各画像表示装置に出力する画像信号出力部と、前記画像表示装置との間で前記光変調素子の負荷情報の入出力が可能な負荷情報入出力部とを有し、前記画像表示装置は、前記画像配信制御装置で取得された自身の光変調素子の負荷情報及び／又は自身が取得した光変調素子の負荷情報を記憶する光変調素子の負荷情報記憶部と、前記画像配信制御装置との間で前記光変調素子の負荷情報の入出力が可能な負荷情報入出力部と、前記画像配信制御装置から出力された画像信号を入力する画像信号入力部とを有することを特徴とする。
【００３４】
本発明のマルチ画面画像表示システムによれば、（１）に記載のマルチ画面画像表示システムと同様、マルチ画面画像表示システムを長期間使用しても、複数の画像表示装置間で色再現性などが大きく異なることはなく、長期間に渡って高画質な画像を得ることができる。
【００３５】
また、（１２）のマルチ画面画像表示システムによれば、光変調素子の負荷情報の取得や取得された負荷情報に基づく画像信号変換などの処理は画像配信制御装置で行い、各画像表示装置では、前記画像配信制御装置で取得された自身の光変調素子の負荷情報及び／又は自身が取得した光変調素子の負荷情報を記憶する機能を有している。そして、画像表示装置では自身が取得して記憶している負荷情報を画像配信制御装置に送ることもできる。このため、画像配信制御装置では、画像表示装置から送られてくる負荷情報に基づいて画像信号変換処理を行うことができる。
【００３６】
これにより、マルチ画面画像表示システムを構成する複数の画像表示装置のうちのある１台または複数台を入れ替えるような場合、新たに使用する画像表示装置については、当該画像表示装置の使用開始時点における画像信号変換は、当該画像表示装置が自身で取得して記憶している光変調素子の負荷情報に基づいて行うことができる。このため、マルチ画面画像表示システムを構成する画像表示装置の入れ替えなどを行う可能性が高いマルチ画面画像表示システムなどにおいて有利なものとなる。
なお、（１２）に記載のマルチ画面画像表示システムにおいても、前記（２）〜（６）に記載のマルチ画面画像表示システムの特徴を有することが好ましい。
【００３７】
（１３）本発明の画像配信制御装置は、光源からの光を表示すべき画像に係る画像信号に応じて変調する光変調素子を有する複数の画像表示装置と、前記複数の画像表示装置の各画像表示装置が表示すべき画像に係る画像信号を生成して前記各画像表示装置に配信する画像配信制御装置とを有するマルチ画面画像表示システムに用いられる前記画像配信制御装置であって、前記各画像表示装置が表示すべき画像に係る画像信号を生成する画像信号生成部と、前記各画像表示装置が有する前記光変調素子の特性変化を予測可能な光変調素子の負荷情報を取得する光変調素子の負荷情報取得装置と、前記負荷情報の変化と前記光変調素子の特性変化との関係に基づいて設定された補正パラメータを記憶する補正パラメータ記憶部と、前記光変調素子の負荷情報取得装置により取得されたその時点における負荷情報と前記その時点における負荷情報に対応する補正パラメータとに基づいて、前記光変調素子に与える画像信号を変換する画像信号変換部と、前記画像変換部で変換された画像信号を前記各画像表示装置に出力する画像信号出力部と、前記画像表示装置との間で前記光変調素子の負荷情報の入出力が可能な負荷情報入出力部とを有することを特徴とする。
【００３８】
画像配信制御装置をこのような構成とすることによって、前記（１２）に記載のマルチ画面画像表示システムを容易に構成することができる。なお、（１３）に記載の画像配信制御装置においても、前記（２）〜（６）に記載のマルチ画面画像表示システムの特徴を有することが好ましい。
（１４）本発明の画像配信制御装置の画像配信制御プログラムは、前記（１３）に記載の画像配信制御装置に、前記複数の画像表示装置の各画像表示装置が表示すべき画像信号の配信制御処理を実行させる画像配信制御装置の画像配信制御プログラムであって、前記複数の画像表示装置の各画像表示装置が表示すべき画像に係る画像信号を生成する画像信号生成ステップと、前記各画像表示装置が有する前記光変調素子の特性変化を予測可能な光変調素子の負荷情報を取得する光変調素子の負荷情報取得ステップと、前記各画像表示装置との間で前記光変調素子の負荷情報の入出力を行う負荷情報入出力ステップと、前記負荷情報取得ステップにより取得されたその時点における負荷情報と前記その時点における負荷情報に対応する補正パラメータとに基づいて、前記光変調素子に与える画像信号を変換する画像信号変換ステップと、前記画像変換ステップで変換された画像信号を前記各画像表示装置に出力する画像信号出力ステップとを有することを特徴とする。
このような画像配信制御装置の画像配信制御プログラムを前記（１３）に記載の画像配信制御装置に実行させることによっても、前記（１１）に記載の画像配信制御装置の画像配信制御プログラムと同様、画像表示装置の長期間の使用によって光変調素子の特性が変化しても、その特性変化を考慮した画像信号変換を行って、その画像信号変換後の画像信号を各画像表示装置に配信することができるという効果が得られる。
また、（１４）の画像配信制御装置の画像配信制御プログラムにおいては、前記各画像表示装置との間で前記光変調素子の負荷情報の入出力を行う負荷情報入出力ステップを有しているので、画像配信制御装置では、画像表示装置から送られてくる負荷情報に基づいて画像信号変換処理を行うことができる。これにより、（１２）のマルチ画面画像表示システムにおいて述べたように、マルチ画面画像表示システムを構成する複数の画像表示装置のうちのある１台または複数台を入れ替えるような場合、新たに使用する画像表示装置については、当該画像表示装置の使用開始時点における画像信号変換は、当該画像表示装置が自身で取得して記憶している光変調素子の負荷情報に基づいて行うことができる。
なお、（１４）に記載の画像配信制御装置の画像信号配信制御プログラにおいても、前記（２）〜（６）に記載のマルチ画面画像表示システムの特徴を有することが好ましい。
【００３９】
（１５）本発明の画像表示装置は、光源からの光を表示すべき画像に係る画像信号に応じて変調する光変調素子を有する複数の画像表示装置と、前記複数の画像表示装置の各画像表示装置が表示すべき画像に係る画像信号を生成して前記各画像表示装置に配信する画像配信制御装置とを有するマルチ画面画像表示システムにおける前記画像表示装置であって、前記画像配信制御装置で取得された自身の光変調素子の負荷情報及び／又は自身が取得した光変調素子の負荷情報を記憶する光変調素子の負荷情報記憶部と、前記画像配信制御装置との間で前記光変調素子の負荷情報の入出力が可能な負荷情報入出力部と、前記画像配信制御装置から出力された画像信号を入力する画像信号入力部とを有することを特徴とする。
【００４０】
画像表示装置をこのような構成とすることによって、前記（１２）に記載のマルチ画面画像表示システムを容易に構成することができる。なお、（１５）に記載の画像表示装置においても、前記（２）〜（６）に記載のマルチ画面画像表示システムの特徴を有することが好ましい。
（１６）本発明の画像表示装置の画像表示制御プログラムは、前記（１５）に記載の画像表示装置に、前記画像表示装置が行う画像表示制御処理を実行させる画像表示装置の画像表示制御プログラムであって、前記画像配信制御装置との間で前記光変調素子の負荷情報の入出力を行う負荷情報入出力ステップと、前記画像配信制御装置で取得された自身の光変調素子の負荷情報及び／又は自身が取得した光変調素子の負荷情報を記憶する光変調素子の負荷情報記憶ステップと、前記画像配信制御装置から出力された画像信号を入力する画像信号入力ステップとを有することを特徴とする。
このような画像表示装置の画像表示制御プログラムを前記（１５）に記載の画像表示装置に実行させることにより、画像表示装置では、前記画像配信制御装置で取得された自身の光変調素子の負荷情報の入力や自身が取得した光変調素子の負荷情報の画像配信制御装置への出力が可能となり、前記（１２）のマルチ画面画像表示システムを実現することができる。
なお、（１６）に記載の画像表示装置の画像表示制御プログラムにおいても、前記（２）〜（６）に記載のマルチ画面画像表示システムの特徴を有することが好ましい。
【発明を実施するための最良の形態】
【００４１】
以下、本発明の実施形態について説明する。なお、以下に示す各実施形態に係るマルチ画面画像表示システムに用いられる画像表示装置は、光変調素子としてＲＧＢの各色に対応した３つの液晶ライトバルブを用いた液晶３板式のプロジェクタであるとして説明する。
【００４２】
[実施形態１]
図１は実施形態１に係るマルチ画面画像表示システムの構成を示す図である。図１に示すように、実施形態１に係るマルチ画面画像表示システムは、縦方向に２台、横方向に２台の合計４台のプロジェクタＰＪ１〜ＰＪ４と、これらプロジェクタＰＪ１〜ＰＪ４に画像信号などを配信する機能を有する画像配信制御装置ＶＳとを有し、プロジェクタＰＪ１〜ＰＪ４からの投写画像はスクリーンＳＣＲ上でタイリング投写されるようになっている。
【００４３】
図２は実施形態１に係るマルチ画面画像表示システムに用いられる画像配信制御装置ＶＳの構成を示す図である。図２に示すように、画像配信制御装置ＶＳは、たとえば、ＤＶＤ（Digital Versatile Disc）、テレビジョン（ＴＶ）チューナ、ビデオディスクなどの何らかの画像データ供給手段からの画像信号の入力が可能な画像信号入力部１０１、画像信号入力部１０１に入力された画像信号を各プロジェクタＰＪ１〜ＰＪ４が受け持つ画像に係る画像信号（部分画像信号という）を生成する画像信号生成部１０２、画像信号生成部１０２で生成された部分画像信号を各プロジェクタＰＪ１〜ＰＪ４宛に配信する画像信号出力部１０３を有している。この画像配信制御装置ＶＳはパーソナルコンピュータなどを用いることができる。
なお、各プロジェクタＰＪ１〜ＰＪ４では画像配信制御装置ＶＳから配信された部分画像信号に基づく投写画像を生成し、生成した投写画像をスクリーンＳＣＲ上に投写する。
【００４４】
図３は実施形態１に係るマルチ画面画像表示システムに用いられる複数のプロジェクタのうちのある１つのプロジェクタの構成を示す図である。なお、図３ではプロジェクタＰＪ１について説明するが、他のプロジェクタＰＪ２〜ＰＪ４も同様の構成要素を有しているものとする。
【００４５】
図３に示すように、プロジェクタＰＪ１は画像表示制御部１及び光学系２を有している。画像表示制御部１は、画像信号入力部１１、光変調素子の負荷情報取得装置１２、画像信号変換部１３、出力信号処理部１４、光変調素子駆動部１５、制御部１６、補正パラメータ記憶部１７、光源駆動部１８などを有している。なお、画像信号入力部１１、光変調素子の負荷情報取得装置１２、画像信号変換部１３、出力信号処理部１４、制御部１６、補正パラメータ記憶部１７によって画像信号補正処理部１００が構成される。
【００４６】
光変調素子の負荷情報取得装置１２は、画像信号解析部１２１、負荷値演算部１２２、累積負荷値記憶部１２３を有している。画像信号解析部１２１は、入力された画像信号を画像信号変換部１３に与えるとともに入力された画像信号を解析し、その解析結果を負荷値演算部１２２に与える機能を有している。
【００４７】
負荷値演算部１２２は、画像信号解析部１２１から与えられた解析結果に基づいて、負荷値を計算し、計算された負荷値を積算して累積負荷値として累積負荷値記憶部１２３に記憶させる機能を有する。この光変調素子の負荷情報取得装置１２の具体的な動作については後述する。
【００４８】
画像信号入力部１１は、表示すべき画像に対応する画像信号を入力してＡ／Ｄ変換などを行う機能を有するもので、Ａ／Ｄ変換などの施された画像信号は、画像信号解析部１２１に与えられるとともに画像信号解析部１２１を介して画像信号変換部１３に与えられる。
【００４９】
画像信号変換部１３は、制御部１６によって補正パラメータ記憶部１７から読み出された補正パラメータに基づいて、画像信号入力部１１からの画像信号を光変調素子としての液晶ライトバルブ２３Ｒ，２３Ｇ，２３Ｂ（図４参照）に与えるべき適正な画像信号として変換する機能を有している。
【００５０】
出力信号処理部１４は、画像信号変換部１３で変換された画像信号をＤ／Ａ変換して光変調素子駆動部１５に与える機能を有する。
光変調素子駆動部１５は、出力信号処理部１４でＤ／Ａ変換された画像信号に基づいて液晶ライトバルブ２３Ｒ，２３Ｇ，２３Ｂを駆動する機能を有する。
【００５１】
制御部１６は、その時点で求められた累積負荷値に対応した補正パラメータを補正パラメータ記憶部１７から取得して画像信号変換部１３に与える機能、現在のプロジェクタのカラーモード（プレゼンテンションモード、シアターモードなど）を取得して、取得したカラーモードに対応する光源制御信号を光源駆動部１８に与える機能、現在のプロジェクタのカラーモードを示す情報を負荷値演算部１２２に与える機能など有している。
【００５２】
光源駆動部１８は、光源２１（図４参照）に対して点灯・消灯制御及び明るさの制御を行うための光源制御信号を与える機能を有する。
【００５３】
図４は光学系２の構成を概略的に示す図である。光学系２は、概略的には、光源２１と、光源２１からの光をＲＧＢの３つの色光に分離する色分離光学系２２と、色分離光学系２２で分離された３つの色光のそれぞれを画像信号に応じて変調する３つの液晶ライトバルブ２３Ｒ，２３Ｇ，２３Ｂと、これら３つの液晶ライトバルブ２３Ｒ，２３Ｇ，２３Ｂによって変調された色光を合成するクロスダイクロイックプリズム２４と、クロスダイクロイックプリズム２４によって合成された光をスクリーン（図２では図示せず）に投写する投写光学系２５とを有している。なお、色分離光学系２２は、ダイクロイックミラー２２１，２２２、反射ミラー２２３，２２４，２２５，２２６，２２７、リレーレンズ２２８，２２９、フィールドレンズ２３０Ｒ、２３０Ｇ，２３０Ｂを有している。
【００５４】
図５は光変調素子の負荷情報取得装置１２が行う光変調素子の負荷情報取得手順を示すフローチャートである。また、図６は図５のフローチャートを説明するための図である。図５及び図６を参照しながら光変調素子の負荷情報取得手順について説明する。
【００５５】
まず、画像信号解析部１２１によって、画像信号の階調情報を得る。この画像信号の階調情報は、各フレームごとにＲＧＢそれぞれの輝度のヒストグラムを計算（図５のステップＳ１）することによって得られる。図６（ａ）はＲＧＢのある１つの色における１フレーム分の輝度のヒストグラムの一例を示す図である。なお、図６（ａ）では輝度の大きさを８つの段階に分けた例が示されており、８段階の各輝度に対する度数（画素数）が示されている。
【００５６】
この図６（ａ）に示すような輝度のヒストグラムを求める処理は、たとえば、適応調光を行う機能を有したプロジェクタでは一般的に行われている処理であるので、適応調光を行う機能を有しているプロジェクタであれば、図６（ａ）のような輝度のヒストグラムを得ることは容易である。
【００５７】
次に、負荷値演算部１２２によって、各輝度に対する度数ごとに液晶ライトバルブへの負荷の重み（図６（ｂ）参照）を掛け算する（図５のステップＳ２）。図６（ｂ）は輝度の大きさに対する負荷の重みの関係の一例を示すもので、輝度が大きいと重みが相対的に小さくなるような曲線となっている。
【００５８】
このように、輝度が大きいと重みを相対的に小さくするのは、液晶ライトバルブが全閉（黒表示）の場合と全開（白表示）の場合とで、結果的に液晶ライトバルブで熱に変換されるエネルギ量が異なってくるためである。すなわち、輝度が小さいということは光の透過の度合いが小さく、液晶ライトバルブで熱に変換されるエネルギが大きくなり、逆に、輝度が大きいと光の透過の度合いが大きく、液晶ライトバルブで熱に変換されるエネルギが小さくなるからである。
【００５９】
このような輝度の大きさから負荷の重みを取得可能なテーブルを用意しておくことで、輝度に対する重みを容易に取得できる。そして、取得した重みを図６（ａ）に示した各度数に掛け算することによって図６（ｃ）に示すような重み付け後の輝度のヒストグラムを得る（図５のステップＳ３）。
【００６０】
そして、図６（ｃ）に示す重み付け後の輝度のヒストグラムにおいて、度数の総和（重み付け後の度数の総和）を計算し（図６（ｄ）参照）、その計算結果を第１の負荷値とする（図５のステップＳ４）。
【００６１】
次に、求められた第１の負荷値に、光源の光の強度に対応する重みとして、その時点のカラーモードに対応した重み（図６（ｅ）参照）を掛け算して第２の負荷値とする（図５のステップＳ５）。このカラーモードに対応した重みというのは、当該プロジェクタにおいて設定可能な個々のカラーモードに対応した重みであり、たとえば、図６（ｅ）に示すように、「ダイナミック」、「プレゼンテーション」、「リビング」、「シアター」、「ｓＲＧＢ」というようなカラーモードの設定が可能であるとした場合、それぞれのカラーモードごとに重みｗ１，ｗ２，・・・が与えられている。
【００６２】
なお、ここで挙げた「ダイナミック」、「プレゼンテーション」というような各カラーモードは便宜的に名付けた呼び名であり、たとえば、「プレゼンテーション」のカラーモードは、色再現性よりも明るさを重視したカラーモードであり、「シアター」は色再現性をより重視したカラーモードであることを示している。
【００６３】
このように、カラーモードごとに重みを設定するのは、同じ画像信号であってもカラーモードによって液晶ライトバルブに入射する光の強度が異なり、液晶ライトバルブに加わる負荷の大きさが異なる場合があるからであり、液晶ライトバルブに加わる負荷の大きいカラーモードに対しては相対的に大きな重みを設定する。
【００６４】
このカラーモードに対する重みを取得して、取得した重みを第１の負荷値に掛け算して第２の負荷値とし、この第２の負荷値を積算して累積負荷値を求める（図５のステップＳ６）。すなわち、第２の負荷値は、図１で示した累積負荷値記憶部１２３に記憶されているそれまでの累積負荷値（それまでのフレームにおいて、各フレームごとに計算された第２の負荷値が積算された累積負荷値）に加算される。図６（ｆ）は累積負荷値記憶部１２３に記憶されるＲ，Ｇ，Ｂの各色それぞれに対する累積負荷値を示す図である。図６（ｆ）における「×××」はＲ，Ｇ，Ｂ各色に対する累積負荷値を示している。
【００６５】
ところで、プロジェクタの寿命を仮に１万時間とすると、当該プロジェクタにおける表示フレーム総数は、フレームレートが３０フレーム／秒であれば、
１００００（時間）×３６００（秒）×３０（フレーム）＝１，０８０，０００，０００（フレーム）
となる。これは、３２ビット＝４，２９４，９６７，２９６で表現できる数値である。したがって、各フレームごとの負荷値（第２の負荷値）を表現するためにたとえば１６ビットを用いるとすれば、累積負荷値を表現するには、ＲＧＢの各液晶ライトバルブ当り高々４８ビット（６バイト）あれば十分である。
【００６６】
以上説明したように、ＲＧＢの各液晶ライトバルブに加わる負荷の大きさを、表示する画像（コンテンツ）に依存し、かつ、光源の光の強度（たとえばプロジェクタのカラーモードなど）に依存した負荷値（第２の負荷値）として求め、求められた負荷値（第２の負荷値）を積算して累積負荷値として累積負荷値記憶部１２３に記憶するようにしている。
【００６７】
これにより、累積負荷値記憶部１２３に記憶されているＲＧＢの各液晶ライトバルブごとの累積負荷値によって、ＲＧＢの各液晶ライトバルブごとに当該液晶ライトバルブにどの程度の負荷が加わっているかを知ることができる。この累積負荷値は、上述したように、表示する画像（コンテンツ）や光源の光の強度に依存したものとなっているため、たとえば、プロジェクタの稼動時間だけの場合に比べると、液晶ライトバルブに加わる負荷の状況をより適正に表すものとなる。
【００６８】
したがって、累積負荷値記憶部１２３に記憶された累積負荷値を光変調素子の負荷情報とし、この光変調素子の負荷情報によって、ＲＧＢの各液晶ライトバルブの特性変化を適正に予測することができ、その特性変化の予測結果に応じた画像信号補正を行うことができる。以下に液晶ライトバルブの特性変化に応じた画像信号補正について説明する。
【００６９】
図７は累積負荷値に対する液晶ライトバルブの特性変化の一例を示す図である。この図７は累積負荷値がどのような値となると液晶ライトバルブの特性がどのように変化するかを示すもので、このような累積負荷値に対する液晶ライトバルブの特性変化は、実験により予め作成しておくことができる。なお、図７は青（Ｂ）に対応する液晶ライトバルブの特性変化を示している。また、図７において、横軸は液晶ライトバルブへの印加電圧（０〜５ボルト）、縦軸は液晶ライトバルブの透過率（０〜１００％）を示している。
【００７０】
また、図７における実線で示す曲線は、当該プロジェクタの購入直後など液晶ライトバルブの累積負荷値が殆ど無い状態（初期という）における液晶ライトバルブの特性、破線で示す曲線は、当該プロジェクタを所定期間使用して液晶ライトバルブの累積負荷値が所定の値となった状態（中期という）を実験的に作り出したときの液晶ライトバルブの特性、一点鎖線で示す曲線は、当該プロジェクタを長期間使用して液晶ライトバルブの累積負荷値が非常に大きな値となった状態（末期という）を実験的に作り出しときの液晶ライトバルブの特性を示すものである。
【００７１】
図７に示すように、累積負荷値の大きさによって、同じ印加電圧を与えても透過率が異なってくることがわかる。たとえば、１．５ボルトの印加電圧を与えた場合、初期においては８０％程度の透過率が得られるが、中期では５０％程度の透過率となってしまい、同じ印加電圧を与えても透過率が小さくなり、暗い画像となってしまうこととなる。
【００７２】
なお、図７では、初期、中期、末期という３段階における液晶ライトバルブの特性を示したが、実際には、初期から末期までの期間を、たとえば、第１期、第２期、第３期、・・・、第ｎ期というように多数段階に細分化して、細分化された多数段階に対応する各時期ごとの液晶ライトバルブの特性を用いることが望ましい。
【００７３】
そして、各時期ごとの液晶ライトバルブの特性に基づいて、各時期ごとに、補正パラメータの取得が可能なテーブル（補正パラメータ取得テーブルという）を作成する。なお、補正パラメータ取得テーブルは、補正パラメータ記憶部１７に記憶しておくことが可能である。
【００７４】
このように、各時期ごとの補正パラメータ取得テーブルを作成することにより、プロジェクタの実際の使用時において負荷値演算部１２２で求められた累積負荷値（その時点の累積負荷値という）の大きさに対応した補正パラメータ取得テーブルを参照することによって、その時点の累積負荷値に対応した最適な補正パラメータの取得が可能となる。たとえば、その時点の累積負荷値が、第３期に対応する値であるとすれば、第３期に対応する補正パラメータ取得テーブルを参照して補正パラメータの取得を行う。
【００７５】
そして、画像信号変換部１３では補正パラメータ取得テーブルによって取得された補正パラメータに基づいて、画像信号入力部１１からの画像信号を液晶ライトバルブに与えるべき適正な画像信号として変換する。これにより、その時点の累積負荷値において、初期と同じ透過率を得るために必要な印加電圧が液晶ライトバルブに与えられ、目標とする色を再現することができる。
【００７６】
なお、補正パラメータ取得テーブルは、複数個の光変調素子に対する補正パラメータを各光変調素子ごとに取得可能な１次元の画像補正テーブルとしてもよく、また、複数個の光変調素子に対する補正パラメータを一括して取得可能な３次元の画像補正テーブルとしてもよい。
【００７７】
また、プロジェクタＰＪ１がネットワークに接続されているような場合であれば、補正パラメータ取得テーブルは、プロジェクタＰＪ１に画像信号などをネットワークを介して配信可能なサーバなどに保存し、当該サーバからネットワークを介して補正パラメータを取得することも可能である。
【００７８】
なお、上述の説明はプロジェクタＰＪ１についての説明であったが、実施形態１に係るマルチ画面画像表示システムを構成する他のプロジェクタＰＪ２〜ＰＪ４についても同様に処理を行う。これにより、実施形態１に係るマルチ画面画像表示システムに用いられる４つのプロジェクタＰＪ１〜ＰＪ４は、長期間の使用において、個々のプロジェクタに設けられた液晶ライトバルブの特性が変化しても、初期と同様の色の再現が可能となる。
【００７９】
したがって、マルチ画面画像表示システムの初期状態において、各プロジェクタ間で色再現性などが大きく異なることのないようにプロジェクタＰＪ１〜ＰＪ４が調整されているものとすれば、マルチ画面画像表示システムを長期間使用しても、各プロジェクタにおいて前述したような補正処理としての画像信号変換処理がなされることにより、プロジェクタＰＪ１〜ＰＪ４間で色再現性などが大きく異なることはなく、長期間に渡って高画質なタイリング画像を得ることができる。
【００８０】
また、実施形態１に係るマルチ画面画像表示システムによれば、光変調素子の負荷情報としての累積負荷値の取得や取得した累積負荷値に基づく画像信号変換などの処理は各プロジェクタＰＪ１〜ＰＪ４にて行うので、画像配信制御装置ＶＳ側はそれらの処理を行う必要はなく、画像配信制御装置ＶＳの処理負担を小さくすることができる。
また、実施形態１におけるプロジェクタＰＪ１，ＰＪ２，・・・側の処理を当該プロジェクタＰＪ１，ＰＪ２，・・・に実行させるためのプログラとして、画像表示装置の画像表示制御プログラムを作成することが可能である。
この画像表示装置の画像表示制御プログラムは、自身が有する光変調素子の特性変化を予測可能な光変調素子の負荷情報を取得する負荷情報取得ステップと、この負荷情報取得ステップにより取得されたその時点における負荷情報と前記その時点における負荷情報に対応する補正パラメータとに基づいて、前記光変調素子に与える画像信号を変換する画像信号変換ステップとを有する。
また、このような画像表示装置の画像表示制御プログラムは、コンピュータなどで読み取り可能な各種の記録媒体に記録させておくことが可能である。
【００８１】
[実施形態２]
前述の実施形態１では画像信号補正処理部１００を各プロジェクタＰＪ１〜ＰＪ４側に設けた場合であるが、実施形態２では画像信号補正処理部１００を画像配信制御装置ＶＳに設けるようにする。
【００８２】
図８は実施形態２に係るマルチ画面画像表示システムに用いられる画像配信制御装置ＶＳの構成を示す図である。図８に示すように、実施形態２に係るマルチ画面画像表示システムにおいては、画像信号補正処理部１００は画像配信制御装置ＶＳに設けられている。
【００８３】
画像配信制御装置ＶＳ側に設けられる画像信号補正処理部１００は、光変調素子の負荷情報取得装置１２’、画像信号変換部１３’、出力信号処理部１４’、制御部１６’、補正パラメータ記憶部１７’を有している。
【００８４】
なお、光変調素子の負荷情報取得装置１２’は、図３で示した光変調素子の負荷情報取得装置１２と同様、画像信号解析部１２１’、負荷値演算部１２２’、累積負荷値記憶部１２３’を有し、図３で示した光変調素子の負荷情報取得装置１２と同様の機能を有している。また、画像信号変換部１３’、出力信号処理部１４’、制御部１６’、補正パラメータ記憶部１７’も、図３の信号変換部１３、出力信号処理部１４、制御部１６、補正パラメータ記憶部１７と同様の機能を有している。
【００８５】
実施形態２に係るマルチ画面画像表示システムに用いられる画像配信制御装置ＶＳは、画像信号生成部１０２によって生成されたプロジェクタＰＪ１〜ＰＪ４に対応するそれぞれの部分画像信号を光変調素子の負荷情報取得装置１２’の画像信号解析部１２１’に与えることにより、プロジェクタＰＪ１〜ＰＪ４に与えるそれぞれの部分画像信号ごとに累積負荷値を求め、求められた累積負荷値を、累積負荷値記憶部１２３’に記憶させる。したがって、累積負荷値記憶部１２３’には、プロジェクタＰＪ１〜ＰＪ４ごとに求められた累積負荷値が記憶される。
【００８６】
また、補正パラメータ記憶部１７’に記憶される補正パラメータは、プロジェクタＰＪ１〜ＰＪ４の特性が同じであれば、４つのプロジェクタＰＪ１〜ＰＪ４に共通の補正パラメータを用いることができるが、プロジェクタＰＪ１〜ＰＪ４の機種や特性が異なるものを併用する場合には、異なる機種や特性のプロジェクタそれぞれに対応する補正パラメータが必要となる。
【００８７】
実施形態２に係るマルチ画面画像表示システムにおける累積負荷値の求め方や求められた累積負荷値に基づく画像信号変換については、実施形態１に係るマルチ画面画像表示システムと同様に実施することができるので、ここではその説明は省略する。ただし、実施形態２に係るマルチ画面画像表示システムにおいては、画像配信制御装置ＶＳ側で、プロジェクタＰＪ１〜ＰＪ４が投写すべき画像に係る部分画像信号に対して、実施形態１で説明したのと同様の画像信号変換を行い、画像信号変換された画像信号を対応するプロジェクタに与えるようにしている。
【００８８】
したがって、実施形態２に係るマルチ画面画像表示システムにおいては、プロジェクタＰＪ１〜ＰＪ４では画像信号補正処理部１００を持つ必要がなくなるので、プロジェクタＰＪ１〜ＰＪ４は一般に市販されている汎用のプロジェクタを使用することができる。
また、実施形態２における画像配信制御装置ＶＳ側の処理を当該画像配信制御装置ＶＳに実行させるためのプログラとして、画像配信制御装置の画像配信制御プログラムを作成することが可能である。
この画像配信制御装置の画像配信制御プログラムは、各プロジェクタが表示すべき画像に係る画像信号を生成する画像信号生成ステップと、各プロジェクタが有する光変調素子の特性変化を予測可能な光変調素子の負荷情報を取得する負荷情報取得ステップと、この負荷情報取得ステップにより取得されたその時点における負荷情報と前記その時点における負荷情報に対応する補正パラメータとに基づいて、光変調素子に与える画像信号を変換する画像信号変換ステップと、この画像信号変換ステップで変換された画像信号を各プロジェクタに出力する画像信号出力ステップとを有する。
また、このような画像配信制御装置の画像配信制御プログラムは、コンピュータなどで読み取り可能な各種の記録媒体に記録させておくことも可能である。
【００８９】
[実施形態３]
実施形態３はプロジェクタＰＪ１〜ＰＪ４側では自身の累積負荷値を記憶し、画像配信制御装置ＶＳ側では各プロジェクタＰＪ１〜ＰＪ４に記憶されている累積負荷値を用いてプロジェクタＰＪ１〜ＰＪ４に配信すべき画像信号を変換したのちにプロジェクタＰＪ１〜ＰＪ４に配信する機能を有するものである。
【００９０】
図９は実施形態３に係るマルチ画面画像表示システムに用いられる画像表示装置及び画像配信制御装置の構成を示す図である。なお、図９においては、実施形態３に係るマルチ画面画像表示システムに用いられるプロジェクタＰＪ１〜ＰＪ４のうちプロジェクタＰＪ１のみが示されているが、他のプロジェクタＰＪ２〜ＰＪ４も同様の構成を有しているものとする。また、図９においては、プロジェクタＰＪ１は、光学系２など実施形態３を説明するために特に必要としない構成要素の図示は省略されている。
【００９１】
図９に示すように、実施形態３に係るマルチ画面画像表示システムは、図８と同様に、画像信号補正処理部１００が画像配信制御装置ＶＳ側に設けられ、この画像配信制御装置ＶＳがプロジェクタＰＪ１〜ＰＪ４ごとの累積負荷値を求める機能を有しているが、実施形態３におけるマルチ画面画像表示システムにおいては、画像配信制御装置ＶＳは、プロジェクタＰＪ１〜ＰＪ４との間で累積負荷値を入出力可能とする累積負荷値入出力部１０４を有している。
【００９２】
一方、プロジェクタＰＪ１〜ＰＪ４側には画像配信制御装置ＶＳから送られてきた累積負荷値を記憶するとともに自身が独自に取得した累積負荷値を記憶する累積負荷値記憶部１９と、画像配信制御装置ＶＳとの間で累積負荷値を入出力可能な累積負荷値入出力部２０とを有している。
【００９３】
実施形態３に係るマルチ画面画像表示システムは、図９からもわかるように、画像配信制御装置ＶＳ側で求められたプロジェクタＰＪ１〜ＰＪ４ごとの累積負荷値を累積負荷値入出力部１０４によって対応するプロジェクタに送信する。そして、プロジェクタＰＪ１〜ＰＪ４側では画像配信制御装置ＶＳから送信されてきた累積負荷値を累積負荷値入出力部２０によって入力して累積負荷値記憶部１９に記憶する。
【００９４】
実施形態３に係るマルチ画面画像表示システムにおいては、画像配信制御装置ＶＳが画像信号補正を行う際は、プロジェクタＰＪ１〜ＰＪ４の累積負荷値記憶部１９に記憶されている最新の累積負荷値に対応する補正テーブルを用いて、プロジェクタＰＪ１〜ＰＪ４で表示すべき部分画像信号に対して画像信号変換を行う。このような画像信号変換を行うことにより前述の実施形態１及び実施形態２と同様に、４つのプロジェクタＰＪ１〜ＰＪ４は、長期間の使用において個々のプロジェクタに設けられた液晶ライトバルブの特性が変化しても、初期と同様の色の再現が可能となる。
【００９５】
また、実施形態３に係るマルチ画面画像表示システムにおいては、画像配信制御装置ＶＳは、画像配信制御装置ＶＳの光変調素子の負荷情報取得装置１２’で取得した累積負荷値に限らず、プロジェクタＰＪ１〜ＰＪ４が独自に取得した負荷情報を累積負荷値として用いて画像信号変換を行うこともできる。
【００９６】
たとえば、プロジェクタは光源の累積点灯時間を当該プロジェクタの稼動時間として保存しているのが一般的である。したがって、マルチ画面画像表示システムに用いられるプロジェクタＰＪ１〜ＰＪ４のうち、１つのプロジェクタまたはいくつかのプロジェクタを他のプロジェクタに入れ替えしたような場合、画像配信制御装置ＶＳは、新たに使用するプロジェクタについて、当該プロジェクタの使用開始時点での画像信号変換を行う際は、新たに使用するプロジェクタがその時点で有する稼動時間を当該プロジェクタの累積負荷値として用いて画像信号変換を行うということも可能となる。
【００９７】
このように、実施形態３に係るマルチ画面画像表示システムは、マルチ画面画像表示システムを構成する画像表示装置の入れ替えなどを行う可能性が高いマルチ画面画像表示システムなどにおいて有利なものとなる。
また、実施形態３における画像配信制御装置ＶＳ側の処理を当該画像配信制御装置ＶＳに実行させるためのプログラとして、画像配信制御装置の画像配信制御プログラムを作成することが可能であるとともに、実施形態３におけるプロジェクタＰＪ１，ＰＪ２，・・・側の処理を当該プロジェクタＰＪ１，ＰＪ２，・・・に実行させるためのプログラとして、画像表示装置の画像表示制御プログラムを作成することが可能である。
画像配信制御装置の画像配信制御プログラムは、各プロジェクタが表示すべき画像に係る画像信号を生成する画像信号生成ステップと、各プロジェクタが有する前記光変調素子の特性変化を予測可能な光変調素子の負荷情報を取得する光変調素子の負荷情報取得ステップと、各プロジェクタとの間で光変調素子の負荷情報の入出力を行う負荷情報入出力ステップと、負荷情報取得ステップにより取得されたその時点における負荷情報と前記その時点における負荷情報に対応する補正パラメータとに基づいて、光変調素子に与える画像信号を変換する画像信号変換ステップと、この画像変換ステップで変換された画像信号を各プロジェクタに出力する画像信号出力ステップとを有する。
また、このような画像配信制御装置の画像配信制御プログラムは、コンピュータなどで読み取り可能な各種の記録媒体に記録させておくことも可能である。
一方、画像表示装置の画像表示制御プログラムは、画像配信制御装置ＶＳとの間で光変調素子の負荷情報の入出力を行う負荷情報入出力ステップと、画像配信制御装置ＶＳで取得された自身の光変調素子の負荷情報及び／又は自身が取得した光変調素子の負荷情報を記憶する光変調素子の負荷情報記憶ステップと、画像配信制御装置ＶＳから出力された画像信号を入力する画像信号入力ステップとを有する。
また、このような画像表示装置の画像表示制御プログラムは、コンピュータなどで読み取り可能な各種の記録媒体に記録させておくことも可能である。
【００９８】
なお、本発明は前述の各実施形態に限られるものではなく、本発明の要旨を逸脱しない範囲で種々変形実施可能となるものである。たとえば、前述の各実施形態では、基本色をＲＧＢの３色に対応した３つの液晶ライトバルブを用いた３板式のプロジェクタを例にとって説明したが、単板式のプロジェクタであってもよい。
【００９９】
また、前述の各実施形態では、光変調素子の負荷情報としての累積負荷値は、光の強度と画像の階調情報に基づいて求められたが、光変調素子の温度を検出する温度検出部を設置し、当該温度検出部から得られる光変調素子の温度に関する情報をも考慮して求めることもできるし、画像表示装置の稼働時間を算出する稼働時間算出部を設置し、当該稼働時間算出部によって得られる画像表示装置の稼動時間に関する情報をも考慮して求めるようにすることもできる。
【０１００】
また、液晶ライトバルブ面を複数の領域に分割し、それによって得られた各領域ごとに、負荷値を求め、求められた負荷値を積算して累積負荷値を求めるようにすることもできる。
【０１０１】
図１０は前述の各実施形態に係るマルチ画面画像表示システムに用いられるプロジェクタＰＪ１〜ＰＪ４のうちのある１つのプロジェクタにおけるＲＧＢのある１つの色の液晶ライトバルブ（図１０ではＲの液晶ライトバルブ２３Ｒとする）を複数の領域に分割した例を示す図である。
【０１０２】
図１０の例では、垂直・水平方向に４×４の１６個の領域が形成された例が示され、これら１６個の各領域ごとに、図５及び図６で説明した処理を行うことによって累積負荷値を求める。この場合、各領域ごとに求められた累積負荷値に基づいて画像信号補正を行う。すなわち、画像信号変換部１３では、各領域において求められた累積負荷値に対応する補正パラメータに基づいて画像信号変換を行う。これによって、ある１つの液晶ライトバルブの各領域ごとの特性変化に対応した補正が可能となる。
【０１０３】
なお、図１０ではＲＧＢのうちのある１つの基準色の液晶ライトバルブのみが示されているが、他の基準色に対応する液晶ライトバルブについても同様に、領域に分割し、分割されて得られた各領域ごとに同様の処理を行う。
【０１０４】
また、前述の各実施形態ではマルチ画面画像表示システムは４台のプロジェクタを用いた例が示されているが、プロジェクタは４台に限られるものではない。
【０１０５】
また、前述の各実施形態では、前面投写型のマルチ画面画像表示システムについて説明したが、背面投写型のマルチ画面画像表示システムであってもよく、また、直視型の画像表示装置を複数台用いたマルチ画面画像表示システムであってもよい。
また、本発明は、前述の各実施形態で述べた画像表示装置の画像表示制御プログラムとその画像表示装置の画像表示制御プログラムを記録した記録媒体、並びに、画像配信制御装置の画像配信制御プログラムとその画像配信制御装置の画像配信制御プログラムを記録した記録媒体をも含むものである。また、画像表示装置の画像表示制御プログラム、画像配信制御装置の画像配信制御プログラムはそれぞれネットワークから取得するようにしてもよい。
【図面の簡単な説明】
【０１０６】
【図１】本発明の各実施形態に係るマルチ画面画像表示システムの構成例を示す図。
【図２】実施形態１に係るマルチ画面画像表示システムに用いられる画像配信制御装置の構成を示す図。
【図３】実施形態１に係るマルチ画面画像表示システムに用いられるプロジェクタの構成を示す図。
【図４】図３に示した画像表示装置の光学系を概略的に示す図。
【図５】光変調素子の負荷情報取得装置が行う光変調素子の負荷情報取得手順を示すフローチャート。
【図６】図５のフローチャートを説明するための図。
【図７】累積負荷値に対する液晶ライトバルブの特性変化の一例を示す図。
【図８】実施形態２に係るマルチ画面画像表示システムに用いられる画像配信制御装置の構成を示す図。
【図９】実施形態３に係るマルチ画面画像表示システムに用いられるプロジェクタ及び画像配信制御装置の構成を示す図。
【図１０】ＲＧＢのうちのある１つの基準色の液晶ライトバルブを複数の領域に分割した例を示す図。
【符号の説明】
【０１０７】
１・・・画像表示制御部、２・・・光学系、１１，１０１・・・画像信号入力部、１２，１２’・・・光変調素子の負荷情報取得装置、１３，１３’・・・画像信号変換部、１４，１４’・・・出力信号処理部、１５・・・光変調素子駆動部、１６，１６’・・・制御部、１７，１７’・・・補正パラメータ記憶部、１８・・・光源駆動部、２０，１０４・・・累積負荷値入出力部、１００・・・画像信号補正処理部、１０２・・・画像信号生成部、１０３・・・画像信号出力部、１２１，１２１’・・・画像信号解析部、１２２，１２２’・・・負荷値演算部、１９，１２３，１２３’・・・累積負荷値記憶部
【図２】
2007133298.tif 000003
【図３】
2007133298.tif 000004
【図４】
2007133298.tif 000005
【図５】
2007133298.tif 000006
【図６】
2007133298.tif 000007
【図７】
2007133298.tif 000008
【図８】
2007133298.tif 000009
【図９】
2007133298.tif 000010
【図１０】
2007133298.tif 000011
【図１】
2007133298.tif 000012